(57)【要約】【課題】断熱効果が大で且つ厚みの極めて薄い薄型軽量のアルミ被覆製の断熱材と公認の断熱建材とを併用することで、ユーザーにとってメリットのある住宅の提供。【解決手段】屋根１、外壁２、床３に、断熱性が大で厚みの薄い第１断熱材を形成する薄型軽量断熱材及び第２断熱材を形成するウール状または発泡状の断熱材を複数層状に配設し、前記第１、第２断熱材をそれぞれ任意に組合せて多層断熱構造としたことを特徴とする。【選択図】図１
0003121229.tif 000002
【実用新案登録請求の範囲】
【請求項１】
屋根、外壁、床に、断熱性が大で厚みの薄い第１断熱材を形成する薄型軽量断熱材及び第２断熱材を形成するウール状または発泡状の断熱材を複数層状に配設し、前記第１、第２断熱材をそれぞれ任意に組合せて多層断熱構造としたことを特徴とする断熱性能向上家屋。
【請求項２】
前記第２断熱材を公認の断熱建材の中から選定したことを特徴とする請求項１記載の断熱性能向上家屋。
【考案の詳細な説明】
【技術分野】
【０００１】
本考案は、断熱性能向上家屋に関する。
【背景技術】
【０００２】
従来、家屋の断熱方法は、グラスウールやロックウール或いは、発泡ウレタン、発泡スチロール、発泡ポリスチレン等の樹脂系の材料が一般的に多く用いられている。
【０００３】
尚、現在、経済産業省が支援する（社）日本建材・住宅設備産業協会が運用する「優良断熱建材認定制度（ＤＫ制度）」によりＤＫマークを付与され、住宅金融公庫の断熱構造基準をクリアした商品を用いることで、ユーザーである消費者にとって割増し融資を受けることが出来る、というメリットがある。
【考案の開示】
【考案が解決しようとする課題】
【０００４】
しかしながら、上述の従来例では、断熱効果の点から、従来公認の断熱建材だけでは、特に冬期寒さの厳しい寒冷地等の家屋の場合、満足した状況が得られにくく、断熱性能の優れた軽量の金属被覆製の断熱材との併用が望まれる。
【０００５】
本考案は、上述の事情に鑑みて成されたもので、断熱効果が大で且つ厚みの極めて薄い薄型軽量のアルミ被覆製の断熱材と公認の断熱建材とを併用することで、ユーザーにとってメリットのある住宅を提供することを目的とする。
【課題を解決するための手段】
【０００６】
本考案は、下記構成を備えることにより上記課題を解決できるものである。
【０００７】
（１）屋根、外壁、床に、断熱性が大で厚みの薄い第１断熱材を形成する薄型軽量断熱材及び第２断熱材を形成するウール状または発泡状の断熱材を複数層状に配設し、前記第１、第２断熱材をそれぞれ任意に組合せて多層断熱構造とした断熱性能向上家屋。
【０００８】
（２）前記第２断熱材を公認の断熱建材の中から選定した前項（１）記載の断熱性能向上家屋。
【考案の効果】
【０００９】
断熱効果が大で且つ厚みの極めて薄い薄型軽量の断熱材と公認の断熱建材を併用し、所定の断熱構造基準をクリアすることにより特に住宅金融公庫を利用するユーザーにとってメリットのある快適な住環境を確保できる断熱性能向上家屋を提供することが出来る。
【考案を実施するための最良の形態】
【００１０】
以下、本考案に係る断熱性能向上家屋の実施の形態を説明する。
【００１１】
図１は、本考案に係る断熱性能向上家屋の実施例１における説明図、（ａ）は全体構成を示す模式的縦断面図、（ｂ）は図１（ａ）のＡ部詳細図、図２は、実施例１におけるＢ部詳細図、（ａ）は縦断面図、（ｂ）は水平断面図、図３は、実施例１におけるＣ部詳細図、（ａ）は大引き部材に平行な縦断面図、（ｂ）は大引き部材に直交する縦断面図、図４は、実施例１におけるＤ部詳細図であり壁と床の取り合い部の要部構成の一例を示す縦断面図、図５は、実施例２における説明図、（ａ）は全体構成を示す模式的縦断面図、（ｂ）は図５（ａ）のＥ部詳細図、図６は、実施例２におけるＦ部詳細図、（ａ）は縦断面図、（ｂ）は水平断面図、図７は、実施例２におけるＧ部詳細図、（ａ）は大引き部材に平行な縦断面図、（ｂ）は大引き部材に直交する縦断面図、図８は、実施例２におけるＨ部詳細図であり壁と床の取り合い部の要部構成の一例を示す縦断面図である。
【実施例１】
【００１２】
実施例１は、寒冷地以外のその他の地域における、例えば、在来工法による戸建て住宅の場合、図１（ａ）に示すように、屋根１、外壁２、床３に、断熱性が大で厚みの極めて薄い例えば４ｍｍ、または８ｍｍの第１断熱材を形成しアルミ金属で被覆した薄型軽量断熱材を、所謂「外断熱材」として用い、公認の優良断熱建材となる第２断熱材を「内断熱材」として用い、例えば、外断熱材を１層または２層、内断熱材を１または２層とし、多層構造として、通常の地域での断熱効果を得る構成とした場合である。施工方法としては、第１断熱材は外張り断熱工法を用い、公認の第２断熱材は例えば根太と根太の間、柱と柱の間に充填する充填工法を用いることを一般工法とした。
【００１３】
図１（ｂ）は、Ａ部詳細図として、屋根１の詳細構成を示した斜視説明図である。
【００１４】
実施例１の場合は、屋根１の断熱構造を所定幅離間する第１断熱材Ｉ−１の２層と第２断熱材Ｉ−２の１層とからなる３層断熱構造としたことを特徴としている。
【００１５】
図１（ｂ）において、屋根部の構造は、棟木１６、母屋１７及び不図示の軒桁上に所定ピッチ（例えばピッチ：４５５ｍｍ）で掛け渡した垂木１０と相隣る垂木１０との間を埋めるように公認の優良断熱建材の中から選定した第２断熱材Ｉ−２を充填敷設し、その上に薄型軽量断熱材からなる第１断熱材Ｉ−１（８ｍｍ厚）を張設し、その上に押え垂木１１を所定ピッチで前記第１断熱材Ｉ−１（８ｍｍ厚）を押え込んで掛け渡し、更にその上に薄型軽量断熱材からなる第１断熱材Ｉ−１（４ｍｍ厚）を張設し、その上に構造用合板からなる野地板１３を敷き詰め、その上に防水材となるアスファルト・ルーフィング１４を敷設し、その上に屋根材１５を敷設して仕上げる。１５は日本瓦、セメント瓦、コロニアルなどの屋根部材である。
【００１６】
本実施例では、第１断熱材Ｉ−１（４ｍｍ厚）と第１断熱材Ｉ−１（８ｍｍ厚）
との二層の離間幅を、押え垂木１１の寸法（３６×４０ｍｍ）で調節してある。
【００１７】
屋根１にアルミ金属被覆の薄型軽量断熱材となる第１断熱材Ｉ−１と住宅金融公庫の基準にあてはまる公認の優良断熱建材からなる第２断熱材Ｉ−２との多層断熱構造としたことで、特に夏の気温の高い時期における断熱効果を高めることが出来、外断熱材となる第１断熱材Ｉ−１を形成する薄型軽量の断熱材であるため、ロール状に巻き取った状態から簡単に敷設でき、取り扱い上極めて便利であり、したがって作業性、施工性に優れ、工期の短縮及びコスト削減が可能であり、しかも第２断熱材Ｉ−２が構造条件をクリアしている公認のＤＫマーク印の優良断熱材であるため、ユーザーである消費者にとって求め易い家屋を提供できる。
【００１８】
図２は、実施例１におけるＢ部詳細図であり、壁部の詳細を示し、（ａ）は縦断面図、（ｂ）は水平断面図である。
【００１９】
図２（ａ）、（ｂ）において、外壁２は、例えばラスモルタル、サイディング、軽量気泡コンクリート板、あるいは漆喰（しっくい）などの外壁仕上げ材（外装材）２ａと、外壁（外装）下張り材２ｂとなる構造用合板の内側且つ管柱５０及び胴縁（図示略）との間に薄型軽量断熱材からなら第１断熱材Ｉ−１が張設され、前記管柱５０の内側に石膏ボード等の内装下地材５０ｂと内装仕上げ材５０ａが張設されている。
【００２０】
そして図３（Ｃ部詳細図）及び図４（Ｄ部詳細図）に床部の詳細を示すように、床３を支持する土台１８に固設した大引き１９の上に床用の薄型軽量断熱材となる第１断熱材Ｉ−１を隙間なく張設し、その上に公庫の構造条件をクリアしている公認のＤＫマーク印の優良断熱建材である第２断熱材Ｉ−２を根太と根太の間に充填するように敷き詰め前記薄型軽量断熱材の第１断熱材Ｉ−１を押え込むように根太２０を所定ピッチで配設し、その上に構造用合板からなる床用の下地材３ｂとフローリング、畳等の床仕上げ材３ａが張設または敷設される。
【００２１】
床下７０は不図示の床下換気口により、常に通風が得られ結露の発生を防止し、湿気から守るように構成されている。
【００２２】
３ｃは巾木であり、２１は基礎立ち上がり部、２１ａはアンカーボルトである。
【００２３】
本実施例で用いた薄型軽量の第１断熱材Ｉ−１は、断熱性能が格段に大であるため、従来の断熱材に比べて厚みがほぼ１／７〜１／９以下で済み、その余裕部分を通気層または空気層とすることが出来る。
【００２４】
因みに本実施例で用いた薄型軽量の第１断熱材は、１層のポリエチレンフィルムを２層のポリエチレン製多孔質フィルムで挟み、その外側両面にそれぞれポリエチレンフィルムを配して５層のシートと成し、更にこの外側の表裏両面をアルミ箔で被覆した厚み８ｍｍ以下のシート状断熱材で、水分吸収率０％、熱反射率９７％の性能を示し、その性能は発泡ポリスチレン系断熱材の７５ｍｍ厚に相当すると言われているものである。
【実施例２】
【００２５】
実施例２は、特に北海道や寒冷地仕様とした例であり、公認の優良断熱建材の構造条件をクリアし、第１断熱材Ｉ−１を外断熱材（２層）とし、第２断熱材Ｉ−２を１層または２層として、多層断熱構造とした場合である。施工方法は基本的には実施例１の場合と同様であるが、第２断熱材の厚みを北海道または寒冷地仕様として厚みを増すか、若しくは多層として充填施工してある。
【００２６】
図５は、実施例２における説明図であり、（ａ）は全体構成を示す模式的縦断面図、（ｂ）は図５（ａ）のＥ部詳細図として屋根部の詳細図を示してある。
【００２７】
実施例１の場合と異なるのは、屋根部以外については、特に寒冷地仕様としたことであり、「内断熱材」となる第２断熱材Ｉ−２を２層に配し、「外断熱材」となる第１断熱材Ｉ−１の１層に加えて第２断熱材Ｉ−２を２層とし、合計３層断熱構造とした点である。
【００２８】
尚、屋根部の断熱構造については、図５（ｂ）のＥ部詳細図に示すように、実施例１の場合、実施例２の場合共に、外断熱材の第１断熱材を厚みの異なる２層構造とし、認定品となる第２断熱材を１層として合計３層構造とした。
【００２９】
１００は屋根、２００は外壁、３００は床、１１１は押え垂木、１１３は野地板、１１４はアスファルト・ルーフィング、１１５は屋根材であり、Ｉ−１は第１断熱材（４ｍｍ厚、または８ｍｍ厚）、Ｉ−２は公認の優良断熱建材の中から選定した第２断熱材であり、その他の符号１１６は棟木、１１７は母屋、４００は屋根裏である。
【００３０】
Ｅ部詳細図は、図１（ｂ）のＡ部詳細図の構成と同様であるので、説明は省略する。
【００３１】
図６は、実施例２におけるＦ部詳細図として壁部の詳細図であり、（ａ）は縦断面図、（ｂ）は水平断面図である。
【００３２】
図６（ａ）、（ｂ）は寒冷地仕様における壁構造の一例を示してある。管柱５００の外側面に沿って第１断熱材Ｉ−１を張設し、この内側に管柱５００に添えて部材５００ｃを設け、この部材５００ｃに沿って第２断熱材Ｉ−２を設け、これと平行してもう一つの第２断熱材Ｉ−２を張設した例である。２００ｃは通気層であり、第１断熱材Ｉ−１の外側に前記通気層２００ｃを挟んで外壁下地材（合板）２００ｂとその外側に外壁仕上げ材２００ａを設けてある。即ち、外断熱材として第１断熱材Ｉ−１を１層、内断熱材として第２断熱材Ｉ−２を２層施し、合計３層断熱構造として場合である。
【００３３】
５００ａは内装仕上げ材、５００ｂは内装下地材である。
【００３４】
図７は、実施例２におけるＧ部詳細図として床部の詳細図であり、（ａ）は大引き部材に平行な縦断面図、（ｂ）は大引き部材に直交する縦断面図であり、寒冷地仕様における床構造の一例を示してある。第２断熱材Ｉ−２の外側となる下方に大引き１９０に添えて設けた横木部材１３０に沿って第１断熱材Ｉ−１を張設し、大引き１９０の上面に沿って第２断熱材Ｉ−２を２層施し、その上に床下地材３００ｂ、その上に床仕上げ材３００ａを張設した場合である。つまり、外側から第１断熱材Ｉ−１を１層、第２断熱材Ｉ−２を２層張設して、合計３層断熱構造とした例である。１２０は根太である。
【００３５】
図８は、実施例２におけるＨ部詳細図であり、壁と床の取り合い部の要部構成の一例を示す縦断面図である。
【００３６】
実施例１の場合と異なるのは、第２断熱材Ｉ−２を２層としたことであり、第１断熱材Ｉ−１の１層を大引き１９０の下面に沿って設けた横木部材１３０で支えるように張設し、大引きの上面に沿って第２断熱材Ｉ−２を２層張設した構成としてある。その他の構成は、実施例１の場合と同様である。
【００３７】
その他の符号について、３００ｃは巾木であり、２１０は基礎立ち上がり部、２１０ａはアンカーボルトである。７００は床下であり、実施例１の床下７０の場合と同様に、不図示の床下換気口により、常に通風が得られ結露の発生を防止し、湿気から守るように構成されている。
【００３８】
尚、本考案では、屋根だけでなく、外壁及び床についても公認の断熱建材を有効に使用し、薄型軽量の第１断熱材を加えて断熱性能を向上させ、且つ公庫の融資枠を引上げるというユーザーにとって有利な家屋を提供出来るのが最大の特徴である。
【００３９】
以上説明したように、本考案は、薄型軽量の断熱材（第１断熱材）を「外断熱材」として外張り工法を用い、公庫認定品の断熱材（第２断熱材）を「内断熱材」として充填工法を用いて施工するのが特徴である。
【００４０】
尚、本考案は、第１断熱材と第２断熱材の層の数に限定されるものではない。
【００４１】
本実施例における公認とは、住宅金融公庫の断熱構造基準に則って（社）日本建材・住宅設備産業協会が認定した認定品のことであり、本実施例では内断熱材として使用している。
【００４２】
公認の第２断熱材の素材としては、（１）グラスウール、（２）ロックウール、発泡ポリスチレン、（３）硬質ウレタンフォーム、（４）高発泡ポリエチレンなどが挙げられる。
【図面の簡単な説明】
【００４３】
【図１】本考案に係る断熱性能向上家屋の実施例１における説明図、（ａ）全体構成を示す模式的縦断面図、（ｂ）図１（ａ）のＡ部詳細図
【図２】実施例１におけるＢ部詳細図、（ａ）縦断面図、（ｂ）水平断面図
【図３】実施例１におけるＣ部詳細図、（ａ）大引き部材に平行な縦断面図、（ｂ）大引き部材に直交する縦断面図
【図４】実施例１におけるＤ部詳細図であり壁と床の取り合い部の要部構成の一例を示す縦断面図
【図５】実施例２における説明図、（ａ）全体構成を示す模式的縦断面図、（ｂ）図５（ａ）のＥ部詳細図
【図６】実施例２におけるＦ部詳細図、（ａ）縦断面図、（ｂ）水平断面図
【図７】実施例２におけるＧ部詳細図、（ａ）大引き部材に平行な縦断面図、（ｂ）大引き部材に直交する縦断面図
【図８】実施例２におけるＨ部詳細図であり壁と床の取り合い部の要部構成の一例を示す縦断面図
【符号の説明】
【００４４】
１、１００  屋根
２、２００  外壁
３、３００  床
４、４００  屋根裏
５０、５００  管柱（柱）
Ｉ−１  第１断熱材
Ｉ−２  第２断熱材
１０、１１０  垂木
１１、１１１  押え垂木
１３、１１３  野地板
１４、１１４  アスファルト・ルーフィング
１５、１１５  屋根材
１６、１１６  棟木
１７、１１７  母屋
１８、１８０  土台
１９、１９０  大引き
２０、１２０  根太
１３０  横木部材
【図１】
0003121229.tif 000003
【図２】
0003121229.tif 000004
【図３】
0003121229.tif 000005
【図４】
0003121229.tif 000006
【図５】
0003121229.tif 000007
【図６】
0003121229.tif 000008
【図７】
0003121229.tif 000009
【図８】
0003121229.tif 000010